【事件の表示】
　平成１１年特許願第３４６４１１号「パチンコ機」拒絶査定不服審判事件〔平成１２年　５月　９日出願公開、特開２０００−１２６３７６〕について、次のとおり審決する。
【結　論】
　本件審判の請求は、成り立たない。
【理　由】
１．手続の経緯
　本願は、平成８年２月５日に出願した特願平８−１９１００号の一部を平成１１年１２月６日に新たな特許出願としたものであって、平成１６年２月６日付で拒絶理由通知がなされ、平成１６年４月７日付で手続補正がなされ、平成１６年１１月１７日付で拒絶査定がなされ、これに対し、平成１６年１２月１５日に拒絶査定に対する審判請求がなされるとともに、同日付で手続補正がなされたものである。
　
２．平成１６年１２月１５日付の手続補正についての補正却下の決定
［補正却下の決定の結論］
　　平成１６年１２月１５日付の手続補正を却下する。
　
［理由］
（１）補正後の本願発明
　本件補正により、特許請求の範囲の請求項１は、
　
　「遊技領域内に、大当たり状態の生起か否かを示す特別図柄を変化させる表示部が設けられており、その表示部に予め設定されている大当たり図柄が表示されると、遊技者にとって有利な大当たり状態が生起するパチンコ機であって、
　前記表示部を、液晶画面によって形成された特別図柄表示部の前面に、遊技盤面から突出するように複数の壁板を周設して形成するとともに、該表示部を水平方向に複数個列設する一方、
　それらの列設された各表示部間が、遊技球を通過させ得る少なくとも１つの通路を形成しており、かつ、それらの通路を形成している各壁板の側面に、複数の突起部が設けられていることを特徴とするパチンコ機。」
　
と補正された。
　
　上記補正は、平成１６年４月７日付手続補正書の特許請求の範囲の請求項１に記載した発明を特定するために必要な事項である「表示内容を変化させる表示部」を「大当たり状態の生起か否かを示す特別図柄を変化させる表示部」と限定し、同じく「その表示部の表示内容が特定の態様となると、遊技者にとって有利な特別遊技状態が生起する」を「その表示部に予め設定されている大当たり図柄が表示されると、遊技者にとって有利な大当たり状態が生起する」と限定するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
（２）引用例
　原査定の拒絶の理由に引用された特開平６−２１００５２号公報（以下、引用例という。）には、図面とともに、
【特許請求の範囲】、【請求項１】  パチンコ球の転動方向を変化させる変向部が形成された作用部材を遊技盤面に設置した・・・パチンコ機。
【０００５】
【作用】遊技盤面に沿って転動する途中で衝突したパチンコ球のはね返り方向を変化させる変向部が形成された作用部材を遊技盤面に設置することによって、変向部を作用部材の取付けスペース内に確保する。
【０００７】
【実施例】・・・遊技盤に装着された・・・、図柄表示装置、・・・、表示装置等のパチンコ球用各種装置の何れにも適用することができるものである・・・。パチンコ機の遊技盤１の下端部には・・・大入賞口２ａと、・・・始動口２ｂとを有する入賞装置２が装着され、遊技盤１の中央部には入賞装置２の大入賞口２ａの開放条件を規定する大型で横長状の図柄表示装置３が遊技盤面１ａの有効幅のほぼ全長にわたって装着されている。
【０００８】図柄表示装置３において、遊技盤面１ａにビス着されたベース板４の板部４ａには等間隔で横１列に配列された３つのほぼ長方形孔状の窓部５が開設され、・・・ている。
【００１３】ベース板４の板部４ａの左部、中央部および右部には半透明合成樹脂材で形成されて各組の取付け片１１の後端にビス４１で結合されたレンズ板１２がそれぞれ取付けられている。
【００１６】透明合成樹脂材で形成されてベース板４の前面にビス４３で結合され、遊技盤面１ａに設置されてパチンコ球を誘導する球誘導機能を有するカバー板（作用部材）１５にはベース板４の前方に１個のパチンコ球の通過が可能な間隙を隔てて設置されてガラス板Ｇの後側に隣接して垂立された仕切り板１６と、ベース板４の各窓部５の斜め前上方にそれぞれ各窓部５を覆った状態で設置されて横１列に配列され、外壁面の上部がそれぞれ円弧状に湾曲された左通路壁１７Ａ、中通路壁１７Ｂ、右通路壁１７Ｃとが形成され、仕切り板１６にはベース４の各窓部５の上部前方にそれぞれ隣設された３つの凹陥部１６ａが凹設されている。
【００１７】左通路壁１７Ａと発射レール１４の左端部との間、および、右通路壁１７Ｃと発射レール１４の右端部との間にはパチンコ球の転落通路１８がそれぞれ形成され、左通路壁１７Ａと中通路壁１７Ｂとの間、および、中通路壁１７Ｂと右通路壁１７Ｃとの間には上方から下方へのパチンコ球の通り抜けが可能でパチンコ球を・・・大入賞口２ａの方向へ誘導する左右１対の球誘導通路１９がそれぞれ形成され、・・・る。
【００１８】各通路壁１７Ａ，１７Ｂ，１７Ｃの内壁面には左右１対の垂直面１７ａと、この両垂直面１７ａの上端縁に連接されて上内方へ延出された左右１対の斜面１７ｂと、この両斜面１７ｂの内端に連接された水平面１７Ｃとがそれぞれ形成されている。
【００１９】カバー板１５の左通路壁１７の外壁面の内端下部には上外方から下内方へ傾斜した斜面２１Ａが形成され、この斜面２１Ａにはそれぞれ半円形状の断面形状を有し、前後方向へそれぞれ水平状に延長されてパチンコ球の外径より若干小さい間隔で斜め方向へ１列に配列された４個の第１障害片２２Ａが突出形成され、左通路壁１７の内端下部には球誘導通路１９を通り抜ける途中で衝突したパチンコ球はね返り方向を変化させる第１変向部２０Ａが１列の第１障害片２２Ａによって形成されている。
【００２０】カバー板１５の中通路壁１７Ｂの外壁面の左端下部および右端下部にはそれぞれ上外方から下内方へ傾斜して逆八形状に対置された斜面２１Ｂ，２１Ｃがそれぞれ形成され、この両斜面２１Ｂ，２１Ｃにはそれぞれ先端が尖鋭となるような正三角形状の断面形状を有し、前後方向へそれぞれ水平状に延長されてパチンコ球の外径より小さい間隔で斜め方向へ１列にそれぞれ配列された各３個の第２障害片２２Ｂおよび第３障害片２２Ｃがそれぞれ外方へ突出形成され、中通路壁１７Ｂの左端下部および右端下部には球誘導路１９を通り抜ける途中で衝突したパチンコ球のはね返り方向を変化させる第２変向部２０Ｂおよび第３変向部２０Ｃがそれぞれ１列の第２障害片２２Ｂおよび１列の第３障害片２２Ｃによって形成されている。
【００２１】カバー板１５の右通路壁１７Ｃの外壁面の内端下部には上外方から下内方へ傾斜した斜面２１Ｄが形成され、この斜面２１Ｄには第１障害片１９Ａと等しい形状を有し、第１障害片１９Ａと同様な状態で１列に配列された４個の第４障害片２２Ｄが突出形成され、右通路壁１７Ｃの内端下部には球誘導道路１９を通り抜ける途中で衝突したパチンコ球のはね返り方向を変化させる第４変向部２０Ｄが１列の第４障害片２２Ｄによって形成されている。
【００２２】左側の誘導通路１９の出口部を形成する第１変向部２０Ａの各第１障害片２２Ａおよび第２変向部２０Ｂの各第２障害片２２Ｂはパチンコ球の外径の２倍の長さより若干狭い間隙を隔てて内傾状態でほぼ並行状に配列され、右側の球誘導通路１９の出口部を形成する第３障害部２０Ｃの各第３障害片２２Ｃおよび第４変向部２０Ｄの各第４障害片２２Ｄは左側の球誘導通路１９の出口部と同様な間隙を隔てて内傾状態でほぼ並行状に配列されている。
【００２３】各障害片２２Ａ〜２２Ｄにその上方から転落して衝突したパチンコ球はほぼ斜め上方へはね返される。
【００２６】図柄表示装置３の基板収納枠２８は遊技盤１の裏面１ｂにベース板４に対向して取付けられ、・・・る。
【００２７】基板収納枠２８内にはその枠内に密嵌状に嵌め込まれて基板収納枠２８にビス４７によって結合され、中継回路が印刷された前中継基板３１が垂立状態で収納されている。
【００２８】前中継板３１の前面には等間隔で横１列に配列されて各レンズ板１２の透光部１２ａの後側にそれぞれ垂立され、各透光部１２ａをその後方から照射する３個の大型の図柄表示体３２が設置され、本例では各図柄表示体３２は１６×２４個のドット素子を有するドットＬＥＤによって形成されている。カバー板１５の左右誘導通路１９および各変向部２０Ａ〜２０Ｄは各図柄表示体３２の正面位置を避けた状態で形成されている。
【００２９】各図柄表示体３２は遊技盤面１ａに打出されたパチンコ球が入賞装置２の左右始動口２ｂに入賞したときに左図柄、中図柄、右図柄の変動表示を開始し、所定時間経過後左図柄、中図柄、右図柄の順に図柄の変動表示を停止する。各図柄表示体３２が図柄の変動表示を停止して特定した左図柄、中図柄、右図柄の組合わせが当り図柄と判定された場合には入賞装置２の大入賞口２ａが所定時間開放され、図柄の組合わせが外れ図柄と判定された場合には大入賞口２ａは開放されない。
【００３６】・・・。遊技盤１に装着された大型の図柄表示装置３の前端には左右１対の球誘導通路１９と、第１〜第４変向部２０Ａ〜２０Ｄとが３個の図柄表示体３２の正面位置を避けて形成されたカバー板１５を設置し、遊技盤面１ａに沿って転動するパチンコ球を両球誘導通路１９によって大入賞口２ａの方向へ誘導し、球誘導通路１９を通り抜ける途中で衝突したパチンコ球のはね返り方向を第１〜第４変向部２０Ａ，２０Ｂ，２０Ｃ，２０Ｄの第１〜第４障害片２２Ａ〜２２Ｄによって変化させるように構成してある。
【００３７】このため、パチンコ球を誘導する球誘導機能と、パチンコ球のはね返り態様を変化させる釘列の機能とを図柄表示装置３に付加することができ、図柄表示装置３が大型となって遊技盤面１ａ中に図柄表示装置３が占めるスペースが大きくなり、釘列を植設するスペースが相対的に少なくなっても、パチンコ球を誘導する球誘導通路１９と、パチンコ球のはね返り方向を変化させる変向部２０Ａ〜２０Ｄとを図柄表示装置３の取付けスペース内に確保することができる。
【００３８】また、パチンコ球が平坦なプラスチック面に衝突すると、そのパチンコ球は衝突点への進入角度に対して対称なはね返り角度で減速されずにはね返るが、パチンコ球が球誘導通路１９を通り抜ける途中で変向部２０Ａ〜２０Ｄの障害片２２Ａ〜２２Ｄにその上方から衝突すると、パチンコ球が斜め上方へはね返って再び他の障害片に衝突し、また、パチンコ球のはね返り強さが弱められるので、球誘導通路１９を通り抜けるパチンコ球の転落速度を遅くして遊技盤面１ａでのパチンコ球の停留時間を長くすることができる。
　
との記載が認められる。
　
　また、上記摘記事項および図１・３・６等より、遊技盤１の中央部には大型で横長状の図柄表示装置３が遊技盤面１ａの有効幅のほぼ全長にわたって装着されていること（段落【０００７】）、図柄表示装置３において、遊技盤面１ａにビス着されたベース板４の板部４ａには等間隔で横１列に配列された３つの窓部５が開設されていること（段落【０００８】）、ベース板４の前面にビス４３で結合され、遊技盤面１ａに設置されてパチンコ球を誘導する球誘導機能を有するカバー板１５にはベース板４の前方に設置されてガラス板Ｇの後側に隣接して垂立された仕切り板１６と、ベース板４の各窓部５の斜め前上方にそれぞれ各窓部５を覆った状態で設置されて横１列に配列され、外壁面の上部がそれぞれ円弧状に湾曲された左通路壁１７Ａ、中通路壁１７Ｂ、右通路壁１７Ｃとが形成されていること（段落【００１６】）、前中継板３１の前面には等間隔で横１列に配列されて各レンズ板１２の透光部１２ａの後側にそれぞれ垂立され、各透光部１２ａをその後方から照射する３個の大型の図柄表示体３２が設置され、各図柄表示体３２は１６×２４個のドット素子を有するドットＬＥＤによって形成されており、カバー板１５の左右誘導通路１９および各変向部２０Ａ〜２０Ｄは各図柄表示体３２の正面位置を避けた状態で形成されていること（段落【００２８】）、遊技盤１に装着された大型の図柄表示装置３の前端には左右１対の球誘導通路１９と、第１〜第４変向部２０Ａ〜２０Ｄとが３個の図柄表示体３２の正面位置を避けて形成されたカバー板１５を設置するように構成してあること（段落【００３６】）等から、パチンコ機は、「図柄表示体３２を、ドットＬＥＤによって形成された図柄表示装置３の前端に、遊技盤面１ａから垂立するように左通路壁１７Ａ、中通路壁１７Ｂ、右通路壁１７Ｃを図柄表示体３２の正面位置を避けるように設置して形成する」ものと解される。以上を踏まえれば、引用例には、
　
「遊技盤面１ａに、大入賞口２ａの開放か否かを示す図柄を変動表示させる図柄表示体３２が設置されており、その図柄表示体３２に特定した当り図柄が停止されると、大入賞口２ａが開放されるパチンコ機であって、
　前記図柄表示体３２を、ドットＬＥＤによって形成された図柄表示装置３の前端に、遊技盤面１ａから垂立するように左通路壁１７Ａ、中通路壁１７Ｂ、右通路壁１７Ｃを図柄表示体３２の正面位置を避けるように設置して形成するとともに、該図柄表示体３２を等間隔で横１列に配列する一方、
　それらの横１列に配列された各図柄表示体３２が、パチンコ球を通り抜けが可能な左右１対の球誘導通路１９を形成しており、かつ、それらの球誘導通路１９を形成している左通路壁１７Ａ、中通路壁１７Ｂ、右通路壁１７Ｃ各壁板の外壁面に、第１〜第４障害片２２Ａ〜２２Ｄが設けられているパチンコ機。」
　
との発明（以下「引用例発明」という。）が開示されていると認めることができる。
　
（３）対比
　そこで、本願補正発明と引用例発明とを比較すると、引用例発明の「遊技盤面１ａ」は本願補正発明の「遊技領域内」に相当し、以下同様に、「大入賞口２ａの開放」は「大当たり状態の生起」に、「図柄」は「特別図柄」に、「変動表示させる」は「変化させる」に、「図柄表示体３２」は「表示部」に、「設置されており」は「設けられており」に、「特定した当り図柄」は「予め設定されている大当たり図柄」に、「停止されると」は「表示されると」に、「大入賞口２ａが開放される」は「遊技者にとって有利な大当たり状態が生起する」に、「図柄表示装置３」は「特別図柄表示部」に、「垂立する」は「突出する」に、「左通路壁１７Ａ、中通路壁１７Ｂ、右通路壁１７Ｃ」は「複数の壁板」に、「等間隔で横１列に配列する」は「水平方向に複数個列設する」に、「パチンコ球」は「遊技球」に、「通り抜けが可能な」は「通過させ得る」に、「左右１対の球誘導通路１９」は「少なくとも１つの通路」に、「外壁面」は「側面」に、「第１〜第４障害片２２Ａ〜２２Ｄ」は「複数の突起部」にそれぞれ相当している。そして、引用例発明の「図柄表示装置３の前端」と本願補正発明の「特別図柄表示部の前面」との比較において、各通路壁と複数の壁板は引用例発明の図４〜５と本願補正発明の図２・３から遊技盤面と面一であり、各通路壁と複数の壁板の位置関係から見て、引用例発明の「図柄表示装置３の前端」は本願補正発明の「特別図柄表示部の前面」に相当していると解される。
　
　また、特別図柄表示部において、引用例発明の図柄表示装置３が「ドットＬＥＤによって形成された」と本願補正発明の特別図柄表示部が「液晶画面によって形成された」は、特別図柄表示部が「特定の表示画面によって形成された」で共通し、また、引用例発明の左通路壁１７Ａ、中通路壁１７Ｂ、右通路壁１７Ｃを「図柄表示体３２の正面位置を避けるように設置」と本願補正発明の複数の壁板を「周設」は、複数の壁板を「特定の設計条件で設置」で共通する。したがって、両者は、
　
「遊技領域内に、大当たり状態の生起か否かを示す特別図柄を変化させる表示部が設けられており、その表示部に予め設定されている大当たり図柄が表示されると、遊技者にとって有利な大当たり状態が生起するパチンコ機であって、
　前記表示部を、特定の表示画面によって形成された特別図柄表示部の前面に、遊技盤面から突出するように複数の壁板を特定の設計条件で設置して形成するとともに、該表示部を水平方向に複数個列設する一方、
　それらの列設された各表示部間が、遊技球を通過させ得る少なくとも１つの通路を形成しており、かつ、それらの通路を形成している各壁板の側面に、複数の突起部が設けられているパチンコ機。」
　
の点で一致し、以下の点で相違している。
　
　相違点１、特別図柄表示部の特定の表示画面において、本願補正発明の特別図柄表示部が「液晶画面によって形成された」ものであるのに対して、引用例発明の図柄表示装置３が「ドットＬＥＤによって形成された」ものであり、本願補正発明のような構成になっていない点。
　
　相違点２、複数の壁板を特定の設計条件で設置するのに、本願補正発明では、特別図柄表示部の特別図柄を変化させる表示部に壁板を「周設」しているのに対して、引用例発明では、図柄表示装置３の図柄表示体３２に通路壁を「図柄表示体３２の正面位置を避けるように設置」しており、本願補正発明のような構成になっていない点。
　
（４）判断
　上記相違点について検討する。
　
　相違点１について、遊技機分野において、一般的に、液晶画面によって形成された液晶表示器が周知（例えば、特開平７−２１３７０６号公報、特開平６−２３３８６３号公報参照。）である（以下、「周知例Ａ」という。）から、特別図柄表示部の選定に際して、前記引用例発明の「ドットＬＥＤによって形成された」ものにするか、本願補正発明のように、「液晶画面によって形成された」ものにするかは、表示方式をどのようして、表示画面の占有領域をどれくらい必要とするかの違いであり、前記引用例発明のものに、前記周知例Ａを適用して本願補正発明の相違点１に係る構成とした点に格別の創意工夫を要したとはいえず、当業者が必要に応じて容易に想到し得るものといえる。
　
　相違点２について、遊技機分野において、可変表示器の周りに周枠を設けることや、図柄の周囲を枠で囲んで枠組み表示することが周知｛例えば、特開昭６０−６８８８３号公報（第５頁右欄上段第５〜１０行、第２図Ａ・Ｂ等）、特開平３−５５０８０号公報（段落【００３０】、【００３８】、図９、１１等）参照。｝である（以下、「周知例Ｂ」という。）から、複数の壁板を設置するに際して、前記引用例発明の「図柄表示体３２の正面位置を避けるように設置」するのに、前記周知例Ｂを適用して本願補正発明の相違点２に係る「周設」する構成とした点に格別の発明力を要したとはいえず、当業者が適宜なし得る程度の設計的事項であるといえる。
　
  そして、本願補正発明が奏する効果は、引用例発明および周知例Ａ・Ｂから当業者が予測し得るものであって格別のものとは認められない。
　したがって、本願補正発明は、引用例発明および周知例Ａ・Ｂに基づいて、当業者が容易に発明をすることができたものであるから、特許法第２９条第２項の規定により特許出願の際独立して特許を受けることができないものである。
　
（５）むすび
　以上のとおり、本件補正は、平成１８年改正前特許法第１７条の２第５項で準用する同法第１２６条第５項の規定に違反するので、特許法第１５９条第１項の規定において読み替えて準用する同法第５３条第１項の規定により却下すべきものである。
　
３．本願発明について
　平成１６年１２月１５日付の手続補正は上記のとおり却下されたので、本願の請求項１に係る発明（以下、同項記載の発明を「本願発明」という。）は、平成１６年４月７日付手続補正書の特許請求の範囲の請求項１に記載された事項により特定される、以下のとおりのものである。
　
　「遊技領域内に、表示内容を変化させる表示部が設けられており、その表示部の表示内容が特定の態様となると、遊技者にとって有利な特別遊技状態が生起するパチンコ機であって、
　前記表示部を、液晶画面によって形成された特別図柄表示部の前面に、遊技盤面から突出するように複数の壁板を周設して形成するとともに、該表示部を水平方向に複数個列設する一方、
　それらの列設された各表示部間が、遊技球を通過させ得る少なくとも１つの通路を形成しており、かつ、それらの通路を形成している各壁板の側面に、複数の突起部が設けられていることを特徴とするパチンコ機。」
　
（１）引用例
　原査定の拒絶の理由に引用された引用例、および、その記載事項は、前記「２．（２）」に記載したとおりである。
　
（２）対比・判断
　本願発明の構成要件を全て含み、さらに他の構成要件を付加したものに相当する本願補正発明が、前記「２．（４）」に記載したとおり、引用例発明および周知例Ａ・Ｂに基づいて、当業者が容易に発明をすることができたものであるから、本願発明も、同様の理由により、引用例発明および周知例Ａ・Ｂに基づいて、当業者が容易に発明をすることができたものである。
　
（３）むすび
　以上のとおり、本願発明は、引用例発明および周知例Ａ・Ｂに基づいて、当業者が容易に発明をすることができたものであるから、特許法第２９条第２項の規定により特許を受けることができない。
　よって、結論のとおり審決する。